(57)【要約】【課題】入力側回転部材で回転させるときのトルクを安定させる。【解決手段】内周面１１を有する外輪１０と、ブレーキシュー２０と、出力側回転部材３０と、入力側回転部材４０とを備え、出力側回転部材３０に入力された回転力が、少なくとも一方の回転方向については、入力側回転部材４０を回転させないように構成されたブレーキ装置３である。ブレーキ装置３は、周方向において、各ブレーキシュー２０の間に配置されてブレーキシュー２０の回転方向の間隔を保持する複数の間隔保持部９５と、複数の間隔保持部９５を連結して間隔保持部９５を一体に回転可能に保持する第１リング部９１とを有する、入力側回転部材４０とは別の部材である間隔保持部材（摩擦部材９０）を備える。【選択図】図２
2018145993.tif 000002
【特許請求の範囲】
【請求項１】
円筒状の内周面を有する外輪と、
前記外輪の径方向内側に周方向に複数並んで配置され、前記内周面に対向して当該内周面と接触可能な一対のブレーキ面と前記径方向内側を向く内側面とを有するブレーキシューと、
各前記ブレーキシューの前記径方向内側に配置され、外周に、前記内側面に対向する対向面を有する出力側回転部材と、
前記ブレーキシューまたは前記出力側回転部材に当接して前記出力側回転部材に回転トルクを与えることが可能な入力側回転部材と、を備え、
前記出力側回転部材に入力された回転力が、少なくとも一方の回転方向については、前記入力側回転部材を回転させないように構成されたブレーキ装置であって、
周方向において、各前記ブレーキシューの間に配置されて前記ブレーキシューの回転方向の間隔を保持する複数の間隔保持部と、前記複数の間隔保持部を連結して前記間隔保持部を一体に回転可能に保持する第１リング部とを有する、前記入力側回転部材とは別の部材である間隔保持部材を備えることを特徴とするブレーキ装置。
【請求項２】
前記間隔保持部材に対する前記ブレーキシューの回転方向における遊びは、前記入力側回転部材に対する前記ブレーキシューの回転方向における遊びよりも小さいことを特徴とする請求項１に記載のブレーキ装置。
【請求項３】
前記間隔保持部材は、前記内周面に圧接される圧接部と、前記圧接部と一体に回転可能であり、各前記ブレーキシューに周方向で係合する係合部とをさらに有することを特徴とする請求項１または請求項２に記載のブレーキ装置。
【請求項４】
前記間隔保持部材は、前記圧接部と前記係合部とを一体に回転可能に保持する、前記第１リング部よりも径方向外側に配置された第２リング部と、前記第１リング部と前記第２リング部を径方向に連結する複数の連結部とをさらに有することを特徴とする請求項３に記載のブレーキ装置。
【請求項５】
各前記内側面と各前記対向面の間に配置された可動片をさらに備え、
前記入力側回転部材は、前記出力側回転部材の軸方向に突出し、周方向において前記可動片の間に配置された保持部を有し、
前記複数の間隔保持部は、それぞれ、周方向に隣接する２つの前記ブレーキシューと、前記保持部とに囲まれた空間に配置されていることを特徴とする請求項１から請求項４のいずれか１項に記載のブレーキ装置。
【請求項６】
前記間隔保持部に対する前記ブレーキシューの回転方向における遊びは、０°より大きく、３．４°より小さいことを特徴とする請求項２に記載のブレーキ装置。
【請求項７】
前記間隔保持部材は、樹脂からなることを特徴とする請求項１から請求項６のいずれか１項に記載のブレーキ装置。
【請求項８】
前記外輪と共に前記ブレーキ装置の筐体を構成するカバー部材をさらに備え、
前記カバー部材は、前記出力側回転部材の軸方向に交差する向きの側壁部と、前記側壁部の外周縁から前記軸方向に延出した外周部とを有し、
前記外周部は前記外輪の外周面に嵌合して前記外輪に固定され、
前記側壁部は、前記筐体内の部品と摺動可能な、前記筐体内に向けて突出する凸部を有することを特徴とする請求項１から請求項７のいずれか１項に記載のブレーキ装置。
【請求項９】
前記入力側回転部材に操作回転力を入力する操作入力部材と、
前記操作入力部材と一体に回転するレバーとをさらに備え、
前記操作入力部材は、前記出力側回転部材の軸方向に突出するレバー係合部を有し、
前記レバーは、係合穴を有し、
前記レバー係合部は、前記係合穴の縁部が、前記レバー係合部を前記操作入力部材の回転方向で挟持するように前記係合穴に圧入されていることを特徴とする請求項１から請求項８のいずれか１項に記載のブレーキ装置。
【請求項１０】
円筒状の内周面を有する外輪と、前記外輪の径方向内側に周方向に複数並んで配置され、前記内周面に対向して当該内周面と接触可能な一対のブレーキ面と前記径方向内側を向く内側面とを有するブレーキシューと、各前記ブレーキシューの前記径方向内側に配置され、外周に、前記内側面に対向する対向面を有する出力側回転部材と、前記ブレーキシューまたは前記出力側回転部材に当接して前記出力側回転部材に回転トルクを与えることが可能な入力側回転部材と、前記外輪と共に筐体を構成するカバー部材と備え、前記カバー部材は、前記出力側回転部材の軸方向に交差する向きの側壁部と、前記側壁部の外周縁から前記軸方向に延出した外周部とを有し、前記側壁部は、前記筐体内に向けて突出する凸部を有するブレーキ装置の製造方法であって、
前記外周部を前記外輪の外周面に嵌合させる工程と、
前記側壁部を前記出力側回転部材の軸方向に所定荷重で押して前記凸部を前記筐体内の部品に接触させながら、前記カバー部材を前記外輪に固定する工程とを有することを特徴とするブレーキ装置の製造方法。
【請求項１１】
前記カバー部材を前記外輪に固定する工程において、前記カバー部材を前記外輪に溶接することを特徴とする請求項１０に記載のブレーキ装置の製造方法。
【発明の詳細な説明】
【技術分野】
【０００１】
本発明は、車両用シートのハイトアジャスト機構などに使用されるブレーキ装置およびその製造方法に関する。
【背景技術】
【０００２】
車両用シートのハイトアジャスト機構には、入力側に設けられた上下に揺動させるレバーの操作によって出力軸が回転するが、シートおよび乗員の重みによってシートが下がろうとする力が出力軸に掛かっても、出力軸が回転しないように構成されたブレーキ装置が用いられている。
【０００３】
例えば、特許文献１のブレーキ装置は、円筒状の内周面を有する外輪と、この内周面に対向する複数のブレーキシューと、ブレーキシューの内側に配置された出力側回転部材とを備えている。そして、出力側回転部材に回転力が入力された場合には、出力側回転部材によってブレーキシューが外輪の内周面に押し付けられることで内周面とブレーキシューの間に摩擦力が発生して、出力側回転部材とブレーキシューが回転することができないようになっている。一方、回転方向でブレーキシューと係合する入力側回転部材に回転力が入力された場合には、ブレーキシューと出力側回転部材を回転させることが可能となっている。
【先行技術文献】
【特許文献】
【０００４】
【特許文献１】特開２０１６−１２４５２６号公報
【発明の概要】
【発明が解決しようとする課題】
【０００５】
ところで、特許文献１の構成においては、複数のブレーキシューの回転方向の位置のバランスが大きく崩れると、ブレーキ力が安定せず、また、入力側回転部材で回転させるときのトルクが安定しないという問題があった。
【０００６】
本発明は、以上の背景に鑑みてなされたものであり、入力側回転部材で回転させるときのトルクを安定させ、ブレーキ装置の操作感を向上させること目的とする。
【０００７】
また、本発明は、ブレーキ装置の大型化を抑制することを目的とする。
【０００８】
また、本発明は、ブレーキ装置からの音の発生を抑制することを目的とする。
【０００９】
また、本発明は、ブレーキ装置の内部の部品の不要な遊びを少なくすることを目的とする。
【課題を解決するための手段】
【００１０】
前記した目的を達成するための本発明のブレーキ装置は、円筒状の内周面を有する外輪と、外輪の径方向内側に周方向に複数並んで配置され、内周面に対向して当該内周面と接触可能な一対のブレーキ面と径方向内側を向く内側面とを有するブレーキシューと、各ブレーキシューの径方向内側に配置され、外周に、内側面に対向する対向面を有する出力側回転部材と、ブレーキシューまたは出力側回転部材に当接して出力側回転部材に回転トルクを与えることが可能な入力側回転部材と、を備え、出力側回転部材に入力された回転力が、少なくとも一方の回転方向については、入力側回転部材を回転させないように構成される。
そして、ブレーキ装置は、周方向において、各ブレーキシューの間に配置されてブレーキシューの回転方向の間隔を保持する複数の間隔保持部と、複数の間隔保持部を連結して間隔保持部を一体に回転可能に保持する第１リング部とを有する、入力側回転部材とは別の部材である間隔保持部材を備える。
【００１１】
このような構成によれば、間隔保持部材により、複数のブレーキシューの周方向の位置のバランスが保たれるので、ブレーキ力が安定し、また、入力側回転部材でブレーキシューを回転させるときのトルクが安定する。さらに、間隔保持部材は、入力側回転部材とは別の部材であるため、間隔保持部材の動作が入力側回転部材に影響を与えず、ブレーキ力が安定する。また、出力側回転部材に入力されたトルクによりブレーキシューが僅かに動く動作などが入力側回転部材に伝わりにくく、操作する人に違和感を与えることもない。このため、ブレーキ装置の操作感が向上する。
【００１２】
前記したブレーキ装置において、間隔保持部材に対するブレーキシューの回転方向における遊びは、入力側回転部材に対するブレーキシューの回転方向における遊びよりも小さい構成とすることができる。
【００１３】
このような構成によれば、入力側回転部材とブレーキシューの回転方向における遊びを確保して、ブレーキ力を安定させ、また、操作感を向上させることができる。
【００１４】
前記したブレーキ装置において、間隔保持部材は、内周面に圧接される圧接部と、圧接部と一体に回転可能であり、各ブレーキシューに周方向で係合する係合部とをさらに有することができる。
【００１５】
この構成によれば、間隔保持部材が外輪の内周面に圧接する摩擦部材として機能し、各ブレーキシューが周方向で間隔保持部材の係合部と係合するので、ブレーキシューが回転し始めるときに間隔保持部材がこの回転の抵抗となる。そのため、間隔保持部材が補助ブレーキ力を発生することで、ブレーキシューと内周面の圧接を外してブレーキシューを動かし始めようとするときに、ブレーキシューが急激に動き出すことを抑制することができる。
【００１６】
このブレーキ装置において、間隔保持部材は、圧接部と係合部とを一体に回転可能に保持する、第１リング部よりも径方向外側に配置された第２リング部と、第１リング部と第２リング部を径方向に連結する複数の連結部とをさらに有することができる。
【００１７】
このような構成によれば、第１リング部と第２リング部が完全に連続しているのではなく、複数の連結部で連結されていることで、第１リングと第２リングの一方に回転トルクが入力されたときに、連結部が多少撓むことができる。このため、間隔保持部材に、補助ブレーキ力を発生する摩擦部材としての機能と、複数のブレーキシューの周方向の位置のバランスを取る機能とを両立させやすい。
【００１８】
前記したブレーキ装置は、各内側面と各対向面の間に配置された可動片をさらに備えることができる。
そして、入力側回転部材は、出力側回転部材の軸方向に突出し、周方向において可動片の間に配置された保持部を有し、複数の間隔保持部は、それぞれ、周方向に隣接する２つのブレーキシューと、保持部とに囲まれた空間に配置されていてもよい。
【００１９】
このような構成によれば、２つのブレーキシューと保持部との間の空間を有効利用して間隔保持部を配置できるので、ブレーキ装置の大型化を抑制することができる。
【００２０】
前記したブレーキ装置において、間隔保持部に対するブレーキシューの回転方向における遊びは、０°より大きく、３．４°より小さいことが望ましい。
【００２１】
また、間隔保持部材は、樹脂からなることが望ましい。これによれば、ブレーキ装置を操作したときの音の発生を抑制することができる。
【００２２】
前記したブレーキ装置は、外輪と共にブレーキ装置の筐体を構成するカバー部材をさらに備えることができる。
この場合、カバー部材は、出力側回転部材の軸方向に交差する向きの側壁部と、側壁部の外周縁から軸方向に延出した外周部とを有することができる。そして、外周部は外輪の外周面に嵌合して外輪に固定され、側壁部は、筐体内の部品と摺動可能な、筐体内に向けて突出する凸部を有することができる。
【００２３】
この構成によれば、凸部が筐体内の部品と摺動するように配置されるので、筐体内の部品の不要な遊びを抑制することができる。
【００２４】
前記したブレーキ装置は、入力側回転部材に操作回転力を入力する操作入力部材と、操作入力部材と一体に回転するレバーとをさらに備えることができる。
この場合、操作入力部材は、出力側回転部材の軸方向に突出するレバー係合部を有し、レバーは、係合穴を有し、レバー係合部は、係合穴の縁部が、レバー係合部を操作入力部材の回転方向で挟持するように係合穴に圧入されていることが望ましい。
【００２５】
このような構成によれば、レバーの係合穴の縁部がレバー係合部を操作入力部材の回転方向で挟持するようにレバー係合部が係合穴に圧入されていることで、レバー操作入力部材の回転方向の遊びが無くなるので、操作感を向上させることができる。
【００２６】
前記した課題を解決する本発明は、円筒状の内周面を有する外輪と、外輪の径方向内側に周方向に複数並んで配置され、内周面に対向して当該内周面と接触可能な一対のブレーキ面と径方向内側を向く内側面とを有するブレーキシューと、各ブレーキシューの径方向内側に配置され、外周に、内側面に対向する対向面を有する出力側回転部材と、ブレーキシューまたは出力側回転部材に当接して出力側回転部材に回転トルクを与えることが可能な入力側回転部材と、外輪と共に筐体を構成するカバー部材と備え、カバー部材は、出力側回転部材の軸方向に交差する向きの側壁部と、側壁部の外周縁から軸方向に延出した外周部とを有し、側壁部は、筐体内に向けて突出する凸部を有するブレーキ装置の製造方法を提供する。
この製造方法は、外周部を外輪の外周面に嵌合させる工程と、側壁部を出力側回転部材の軸方向に所定荷重で押して凸部を筐体内の部品に接触させながら、カバー部材を外輪に固定する工程とを有する。
【００２７】
このようなブレーキ装置の製造方法によれば、凸部が筐体内の部品に、ブレーキ装置の回転軸方向で接触するので、筐体内の部品の不要な遊びを抑制することができる。
【００２８】
そして、この製造方法においては、カバー部材を外輪に固定する工程において、カバー部材を外輪に溶接することが望ましい。
【００２９】
カバー部材を外輪に溶接することで、凸部と内部の部品の位置関係を変えずに、カバー部材を外輪に固定することができる。
【発明の効果】
【００３０】
本発明によれば、ブレーキ力が安定し、また、入力側回転部材でブレーキシューを回転させるときのトルクが安定する。また、ブレーキ装置の操作感が向上する。
【００３１】
本発明によれば、間隔保持部材が補助ブレーキ力を発生することで、ブレーキシューと内周面の圧接を外してブレーキシューを動かし始めようとするときに、ブレーキシューが急激に動き出すことを抑制することができる。
【００３２】
本発明によれば、間隔保持部材に、補助ブレーキ力を発生する摩擦部材としての機能と、複数のブレーキシューの周方向の位置のバランスを取る機能とを両立させやすい。
【００３３】
本発明によれば、２つのブレーキシューと保持部との間の空間を有効利用して間隔保持部を配置できるので、ブレーキ装置の大型化を抑制することができる。
【００３４】
本発明によれば、間隔保持部材を、樹脂から構成することで、ブレーキ装置を操作したときの音の発生を抑制することができる。
【００３５】
本発明によれば、凸部が筐体内の部品と摺動するように配置することで、筐体内の部品の不要な遊びを抑制することができる。
【００３６】
本発明によれば、レバーの係合穴の縁部がレバー係合部を操作入力部材の回転方向で挟持するようにレバー係合部が係合穴に圧入されていることで、レバー操作入力部材の回転方向の遊びが無くなるので、操作感を向上させることができる。
【図面の簡単な説明】
【００３７】
【図１】乗物用シートの側面図である。
【図２】クラッチユニットの分解斜視図である。
【図３】ブレーキ装置の横断面図である。
【図４】ブレーキシューの内側面付近の拡大図（ａ）と、出力側回転部材の対向面付近の拡大図（ｂ）である。
【図５】クラッチユニットの、図３のＺ−Ｚ断面図（ａ）と、図３のＹ−Ｙ断面図（ｂ）である。
【図６】入力側回転部材を出力側から見た図である。
【図７】摩擦部材を入力側から見た図である。
【図８】クラッチユニットをカバー部材側から見た斜視図である。
【図９】（ａ）ラチェット装置の横断面図と、（ｂ）突出部の拡大図である。
【図１０】ラチェット装置の動作を説明する図であり、操作入力部材を時計回りに回転させた場合を示す。
【図１１】ラチェット装置の動作を説明する図であり、操作入力部材を反時計回りに戻した場合を示す。
【図１２】想定外の負荷が掛かった場合のラチェット装置の動作を説明する図であり、操作入力部材を時計回りに回転させた場合を示す。
【図１３】想定外の負荷が掛かった場合のラチェット装置の動作を説明する図であり、操作入力部材を時計回りにさらに回転させた場合を示す。
【図１４】ブレーキ装置の動作を説明する図であり、出力側回転部材に時計回りの回転トルクを与えた場合を示す。
【図１５】ブレーキ装置の動作を説明する図であり、図１４の状態から、入力側回転部材に反時計回りの回転トルクを与えた場合を示す。
【図１６】ブレーキ装置の動作を説明する図であり、図１４の状態から、入力側回転部材に時計回りの回転トルクを与えた場合を示す。
【図１７】ブレーキ装置の動作を説明する図であり、図１６の状態から、入力側回転部材を時計回りにさらに回転させた状態を示す。
【図１８】ブレーキ装置の動作を説明する図であり、出力側回転部材に時計回り方向の過大な回転トルクを与えた状態を示す。
【図１９】変形例に係るブレーキ装置の横断面図である。
【図２０】変形例に係る摩擦部材の平面図である。
【図２１】他の変形例に係る摩擦部材の斜視図である。
【発明を実施するための形態】
【００３８】
次に、本発明の実施形態について、適宜図面を参照しながら詳細に説明する。
図１に示すように、本発明のブレーキ装置を備える一実施形態のクラッチユニット１は、乗物用シートの一例としての車両用シートＳのシートクッションＳ１の高さを調整するための公知のハイトアジャスト機構に適用されるものである。クラッチユニット１は、操作入力部材５０にレバー７５が取り付けられ、レバー７５の操作により、後述する出力側回転部材３０を回転させてハイトアジャスト機構を駆動してシートクッションＳ１の高さを調整可能である。具体的には、レバー７５を中立位置Ｎから上げると、シートクッションＳ１が所定量上がり、レバー７５を中立位置Ｎから下げると、シートクッションＳ１が所定量下がるようになっている。なお、レバー７５を、上または下の位置から中立位置Ｎに戻すときには、出力側回転部材３０が回転しないようになっている。
【００３９】
図２に示すように、クラッチユニット１は、筐体１００に各部材が収納されて構成されている。なお、筐体１００は、外輪１０、取付板８５およびカバー部材６０の組合せにより構成されている。また、以下の説明では、カバー部材６０および操作入力部材５０が配置される図２の左側を「入力側」と称し、出力側回転部材３０が配置される図２の右側を「出力側」と称する。
【００４０】
クラッチユニット１は、入力側に設けられ、操作入力部材５０の揺動動作による入力トルクを伝達・遮断するラチェット装置２と、出力側に設けられ、ラチェット装置２からの入力トルクを出力側回転部材３０の出力ギヤ３５に伝達するとともに、出力ギヤ３５からの逆入力トルクを遮断するブレーキ装置３とを備えてなる。
【００４１】
ラチェット装置２とブレーキ装置３の構成部品の概略を説明すると、ラチェット装置２は、操作入力部材５０と、規制部材７１と、ローラ７２と、第１リターンスプリング７３と、第２リターンスプリング７４と、レバー７５と、抜け止め板７７とを備えてなる。また、ブレーキ装置３は、外輪１０と、ブレーキシュー２０と、出力側回転部材３０と、入力側回転部材４０と、可動片の一例としてのローラ８１と、スプリング８２と、間隔保持部材の一例としての摩擦部材９０と、ワッシャ７６とを備えてなる。なお、入力側回転部材４０は、ラチェット装置２の出力部材であるとともに、ブレーキ装置３の入力部材であり、ラチェット装置２とブレーキ装置３のいずれの部品ともいうことができる。
【００４２】
次に、ブレーキ装置３およびラチェット装置２の構成の詳細を説明する。
まず、ブレーキ装置３の構成について説明する。
外輪１０は、所定肉厚のリングからなり、円筒状の内周面１１と、円筒状の外周面１２と、内周面１１と外周面１２を繋ぐ一対の側面１３，１４とを有している。一対の側面１３，１４は、内周面１１よりも外輪１０の径方向外側に位置し、内周面１１の軸線に対し直交する平面となっている。なお、ブレーキ装置３の説明において、径方向および周方向は、外輪１０の内周面１１を基準とする。
【００４３】
外輪１０とともに筐体１００の一部を構成する取付板８５は、ブレーキ装置３を支持するための板金部材である。取付板８５は、シートクッションＳ１のフレームなどにブレーキ装置３を取り付けるための取付孔８５Ｂが２つ形成されている。また、取付板８５は、中央に出力側回転部材３０を通すための貫通孔８５Ａが形成されている。さらに、取付板８５の下部には、入力側に向けて延出するスプリング保持部８５Ｃが設けられている。外輪１０は、取付板８５と固定されていることで、クラッチユニット１は、いろいろな装置に取り付けることが可能である。
【００４４】
外輪１０は、厚板をプレス成形により打ち抜くことで成形されており、出力側の側面１４の外周縁１４Ｂにおいて、レーザ溶接により、取付板８５の入力側の面と溶接されている。
【００４５】
ブレーキシュー２０は、外輪１０との間でブレーキ力を発生する部材であり、外輪１０の径方向内側に周方向に等間隔で並ぶように３つ配置されている。ブレーキシュー２０は、周方向に延びる本体部２０Ａと、本体部２０Ａの外周において径方向外側に突出する突出部２０Ｂおよび突起２０Ｃとを有して構成されている。
【００４６】
突出部２０Ｂは、本体部２０Ａの外周の周方向両端部に１つずつ設けられている。各突出部２０Ｂは、径方向外側の先端に、外輪１０の内周面１１に対向して当該内周面１１と接触可能なブレーキ面２１を有している。このブレーキ面２１は、外輪１０の内周面１１と略同じ曲率であり、図３に示すように、ブレーキ面２１のうち、周方向の外側付近（各ブレーキシュー２０を基準とする周方向外側）で外輪１０の内周面１１に接触するように配置されている。これにより、ブレーキシュー２０が径方向外側に付勢されたときには、ブレーキ面２１の周方向外側付近の接触部が外輪１０の内周面１１に押し付けられるようになっている。
【００４７】
突起２０Ｃは、本体部２０Ａの外周の周方向中央部に設けられている。突起２０Ｃの径方向外側の先端には、外輪１０の内周面１１に当接可能な支持面２６が設けられている。別の言い方をすれば、支持面２６は、一対のブレーキ面２１の間における中央に設けられている。この支持面２６は、外輪１０の内周面１１と略同じ曲率であり、外輪１０の内周面１１に沿った円筒面形状を有している。支持面２６は、ブレーキシュー２０および出力側回転部材３０に負荷が掛かっていない状態において、外輪１０の内周面１１から離間している。
【００４８】
ブレーキシュー２０は、一対のブレーキ面２１の一方と支持面２６との間、および、一対のブレーキ面２１の他方と支持面２６との間に、ブレーキ面２１より小径の円筒面状の外周面２２を有している。また、ブレーキシュー２０は、径方向内側を向く内側面２３を有している。そして、ブレーキシュー２０は、周方向の端部に内側面２３の両端部と２つのブレーキ面２１の端部２１Ｅとを繋ぐ端面２４を有している。また、ブレーキシュー２０は、ブレーキ面２１と外周面２２との間の段差に、周方向を向く回転力入力面２５が形成されている。
【００４９】
内側面２３は、それぞれ、出力側回転部材３０の後述する対向面３６に対向する３つの面を有している。詳しくは、図４（ａ）に示すように、内側面２３は、第１接触面２３Ａと、第１接触面２３Ａに対して図の反時計回り側に配置された第１傾斜面２３Ｂと、第１接触面２３Ａに対して図の時計回り側に配置された第１傾斜面２３Ｃとを有している。第１接触面２３Ａは、ローラ８１と接触可能であるととともに、一対のブレーキ面２１の周方向の両方の端部２１Ｅ同士を繋いだ直線Ｌ１（図３参照）に沿った方向（図４（ａ）に矢印で示した接続方向）に平行な平面となっている。第１傾斜面２３Ｂ，２３Ｃは、これらの間にある第１接触面２３Ａから離れるにつれて対向面３６（図の下側）に近づくように第１接触面２３Ａに対して傾斜した平面となっている。
【００５０】
図２に示すように、出力側回転部材３０は、軸状の作用部３１と、この作用部３１の出力側に形成されたフランジ３２と、作用部３１から入力側に突出し、作用部３１と同軸で小径の支持軸部３３と、フランジ３２の出力側に突出して形成された出力ギヤ３５とを備えて構成されている。出力側回転部材３０は、各ブレーキシュー２０の径方向内側に配置されている。出力ギヤ３５は、取付板８５の貫通孔８５Ａを通して出力側に突出している。
【００５１】
図３に示すように、作用部３１は、その外周に、ブレーキシュー２０の内側面２３に対向する対向面３６と、曲面部３８とを有している。対向面３６は、各ブレーキシュー２０の内側面２３に対応して作用部３１の外周に３つ設けられている。各内側面２３と各対向面３６の間には、一対のローラ８１が配置されている。また、曲面部３８は、各ブレーキシュー２０に対応した各対向面３６を繋ぐ部分であり、作用部３１の外周の周方向に隣り合う一対の対向面３６の間に１つずつ、合計で３つ設けられている。曲面部３８は、出力側回転部材３０の回転中心を中心とする断面視円弧形状の曲面として形成されている。
【００５２】
図４（ｂ）に示すように、対向面３６は、当該対向面３６における周方向の外側の両端部に１つずつ配置された第２接触面３６Ａ，３６Ｂと、両端部の各第２接触面３６Ａ，３６Ｂを繋ぐ接続面部３６Ｃとを有している。第２接触面３６Ａは、接続面部３６Ｃに対して図の反時計回り側に配置され、第２接触面３６Ｂは、接続面部３６Ｃに対して図の時計回り側に配置されている。
【００５３】
第２接触面３６Ａ，３６Ｂは、ブレーキシュー２０に負荷が掛かっていない状態において、ローラ８１と接触可能であるとともに、第１接触面２３Ａに対して傾斜した傾斜部３６１と、傾斜部３６１の外側に連続して配置された、曲面部３６２とを有している。傾斜部３６１は、外輪１０の内周面１１の中心１１Ｃを通り、第１接触面２３Ａに直交する基準平面ＰＬから離れるほど第１接触面２３Ａ（図の上側）に近づくように傾斜している。また、曲面部３６２は、出力側回転部材３０の軸方向に沿って見て、ブレーキシュー２０に向けて凸となる凸形状であり、基準平面ＰＬから離れるほど曲率半径が小さくなる曲面となっている。このような第２接触面３６Ａ，３６Ｂを有することで、対向面３６は、ブレーキシュー２０の内側面２３の一部である第１接触面２３Ａに対して非平行な部分を含んでいる。
【００５４】
図４（ｂ）に示すように、接続面部３６Ｃは、周方向の中央部に設けられた平面部３６Ｄと、周方向の両端部に設けられた傾斜部３６Ｅとを有している。平面部３６Ｄは、ブレーキシュー２０および出力側回転部材３０に荷重が入力されていない状態において、基準平面ＰＬに対して直交する平面となっている。これにより、平面部３６Ｄは、ブレーキシュー２０および出力側回転部材３０に荷重が入力されていない状態において、第１接触面２３Ａと平行に配置される。傾斜部３６Ｅは、基準平面ＰＬから離れるほど、言い換えれば、平面部３６Ｄの端から第２接触面３６Ａ，３６Ｂの周方向内側の端に向けて、第１接触面２３Ａから離れるように傾斜している。これにより、対向面３６は、各第２接触面３６Ａ，３６Ｂと接続面部３６Ｃとの接続部分に、第２接触面３６Ａ，３６Ｂの周方向内側の端部と傾斜部３６Ｅとによって形成される凹部３６Ｆを有している。なお、ブレーキシュー２０および出力側回転部材３０に荷重が入力されていない状態において、第１接触面２３Ａと接続面部３６Ｃ（平面部３６Ｄ）の間隔は、ローラ８１の直径よりも小さくなっている。もっとも、第１接触面２３Ａと接続面部３６Ｃの間隔は、ローラ８１の直径以上であってもよい。
【００５５】
図３に示すように、ローラ８１は、各ブレーキシュー２０の内側面２３と出力側回転部材３０の各対向面３６の間に一対ずつ配置されている。ここでは、各内側面２３と各対向面３６の間に配置された一対のローラのうち、図３の反時計回り側に配置された方をローラ８１Ａとし、時計回り側に配置された方をローラ８１Ｂとする。ブレーキシュー２０および出力側回転部材３０に負荷が掛かっていない状態において、ローラ８１Ａは、第１接触面２３Ａと第２接触面３６Ａに挟まれた状態でこれらに接触し、ローラ８１Ｂは、第１接触面２３Ａと第２接触面３６Ｂに挟まれた状態でこれらに接触している。このように、内側面２３と対向面３６の間にローラ８１が配置されることで、ブレーキ装置３では、内側面２３と対向面３６との間で、ローラ８１を介して荷重が伝達される。
【００５６】
スプリング８２は、圧縮コイルバネであり、一対のローラ８１Ａ，８１Ｂの間に１つずつ設けられている。スプリング８２は、一対のローラ８１Ａ，８１Ｂを互いに周方向に離間させて、内側面２３と対向面３６の間に形成される空間の狭い側に付勢している。
【００５７】
内側面２３および対向面３６は、入力側回転部材４０によりブレーキシュー２０に回転トルクを与えるとローラ８１を介して内側面２３が対向面３６を押して出力側回転部材３０が回転する一方、出力側回転部材３０に回転トルクを与えても、ローラ８１を介して対向面３６が内側面２３を押してブレーキ面２１が外輪１０の内周面１１に押し付けられることでブレーキシュー２０が回転しないように構成されている。すなわち、そのように機能するように、内側面２３の第１接触面２３Ａおよび対向面３６の第２接触面３６Ａ，３６Ｂと、ローラ８１とが接触するように、第１接触面２３Ａに対する第２接触面３６Ａ，３６Ｂの傾斜角や位置などが調整されている。
【００５８】
図２に示す入力側回転部材４０は、外輪１０および出力側回転部材３０などの軸周りに回転可能であり、ラチェット装置２の回転出力を受け、ブレーキ装置３のブレーキシュー２０に周方向で当接してブレーキシュー２０に回転トルクを与えることが可能な部材である。入力側回転部材４０は、円筒状の受圧リング部４１と、受圧リング部４１から出力側に向けて突出した複数の係合脚４２と、受圧リング部４１の軸方向の中央付近から径方向内側へ向かって延びる板状部４３と、板状部４３の出力側の面から出力側回転部材３０の軸方向における出力側へ向かって突出した保持部４４（図６参照）と、板状部４３の中央に形成された貫通孔４５を備えて構成されている。受圧リング部４１の内周面４１Ａは、荷重入力面の一例であり、円形断面を有している。
【００５９】
係合脚４２は、各ブレーキシュー２０に対応して等間隔で３対設けられており、外輪１０の内周面１１とブレーキシュー２０の外周面２２との間に配置されている。一対の係合脚４２は、図３に示すように、突起２０Ｃと図３の反時計回り側の突出部２０Ｂの間に配置される係合脚４２Ａと、突起２０Ｃと図３の時計回り側の突出部２０Ｂの間に配置される係合脚４２Ｂからなる。突出部２０Ｂおよび突起２０Ｃと、係合脚４２Ａ，４２Ｂとの間には、回転方向（周方向）に遊びができるように、突出部２０Ｂ、突起２０Ｃおよび係合脚４２Ａ，４２Ｂの大きさが設定されている。各係合脚４２Ａ，４２Ｂは、略同じ形状で形成されている。入力側回転部材４０（係合脚４２Ａ，４２Ｂ）に対するブレーキシュー２０の回転方向（周方向）の遊びは、例えば、４°である。
【００６０】
保持部４４は、内側面２３と対向面３６の間からローラ８１が脱落するのを抑制する部分であり、周方向においてローラ８１の間に配置されている。具体的には、各ブレーキシュー２０に対応する一対のローラ８１Ａ，８１Ｂの周方向の両側に隣接して配置され、全部で３つ設けられている。
【００６１】
保持部４４は、入力側回転部材４０および出力側回転部材３０に荷重が入力されていない状態において、ローラ８１から離間して配置されている。より詳細には、保持部４４は、出力側回転部材３０に通常使用範囲の回転トルクが入力されている状態において、当該回転トルクの回転方向の上流側に隣接するローラ８１、本実施形態ではローラ８１Ｂに対し非接触であるように配置されている。
【００６２】
また、保持部４４は、出力側回転部材３０に回転トルクが入力されている状態から、入力側回転部材４０を出力側回転部材３０の回転トルクと同じ回転方向に回転させてブレーキシュー２０に周方向で当接させた時点において、当該回転方向の下流側に隣接するローラ８１、本実施形態ではローラ８１Ａに対し非接触であるように配置されている。
【００６３】
また、保持部４４は、入力側回転部材４０がブレーキシュー２０に周方向で当接してブレーキシュー２０を回転させている状態において、保持部４４の回転方向下流側に隣接するローラ８１に対し接触するように配置されている。もっとも、保持部４４は、入力側回転部材４０によりブレーキシュー２０を回転させている状態において、ローラ８１に対し非接触であってもよい。
【００６４】
図６に示すように、貫通孔４５は、出力側回転部材３０の作用部３１が挿通可能であり、その内周に、作用部３１の曲面部３８に沿った３つの円周面部４６と、各円周面部４６の間に配置され、円周面部４６に対し、径方向内側に突出した３つの凸面部４７とを有する。各凸面部４７は、最も径方向内側に突出した頂部４７Ａと、頂部４７Ａに対して図６の時計回り側（図３では反時計回り側）に隣接した解除面４７Ｂと、図６の反時計回り側（図３では時計回り側）に隣接した逃げ面４７Ｃとを有する。
【００６５】
解除面４７Ｂは、対向面３６と対向して配置され、車両用シートＳに座った乗員の重みによる図３の時計回り方向の回転トルクが出力側回転部材３０に入力されている状態から、入力側回転部材４０を当該回転トルクと逆の回転方向（図３の反時計回り方向）に回転させてブレーキシュー２０に周方向で当接させた時点において、略同時に対向面３６に当該逆の回転方向の回転トルクを伝達可能な形状を有している。
【００６６】
逃げ面４７Ｃは、入力側回転部材４０および出力側回転部材３０に外部から荷重が入力されていない状態において、対向面３６の平面部３６Ｄ（図４参照）に対する角度の大きさが、解除面４７Ｂの平面部３６Ｄに対する角度の大きさよりも大きく形成されている。そして、逃げ面４７Ｃは、入力側回転部材４０を図３の時計回り方向に回転させてブレーキシュー２０に周方向で当接させた時点において平面部３６Ｄに当接しない形状となっている。もっとも、逃げ面４７Ｃは、平面部３６Ｄに対する角度の大きさが解除面４７Ｂの平面部３６Ｄに対する角度の大きさと同じであって、図３における入力側回転部材４０の時計回り方向について、解除面４７Ｂと同様の機能を有していてもよい。
【００６７】
図２に示すように、摩擦部材９０は、ブレーキ装置３のブレーキ力が切れた瞬間に急激に出力側回転部材３０の動作が開始するのを抑制するための補助ブレーキ力を発生する部材である。
図７に示すように、摩擦部材９０は、第１リング部９１と、第２リング部９２と、第１リング部９１と第２リング部９２とを連結する連結部９３と、第２リング部９２から突出した、圧接部および係合部の一例としての複数の突出部９４と、第１リング部９１から突出した間隔保持部９５とを有している。
【００６８】
間隔保持部９５は、図３に示すように、周方向において、各ブレーキシュー２０の間に配置されてブレーキシュー２０の回転方向の間隔を保持する部分であり、ブレーキシュー２０の数に合わせて複数、ここでは３つ設けられている。各間隔保持部９５は周方向に隣接する２つのブレーキシュー２０と、保持部４４とに囲まれた、略三角形の空間に配置されている。すなわち、２つのブレーキシュー２０と保持部４４との間の空間を有効利用して間隔保持部９５を配置しているので、ブレーキ装置３の大型化を抑制することができる。
【００６９】
図７に示すように、第１リング部９１は、複数の間隔保持部９５を連結して間隔保持部９５を一体に回転可能に保持する部分である。第１リング部９１は、作用部３１の断面の輪郭と同じ形状の嵌合穴９１Ａを有し、作用部３１と嵌合穴９１Ａが嵌合することで出力側回転部材３０に対して相対的に回転しないようになっている。
第２リング部９２は、複数の突出部９４を一体に回転可能に保持する部分であり、第１リング部９１よりも径方向外側に配置されている。
【００７０】
突出部９４は、外輪１０の径方向外側および出力側回転部材３０の軸方向における入力側に突出している。突出部９４は、径方向外側の面が外輪１０の内周面１１に圧接される圧接面９４Ａとなっている。圧接面９４Ａは、その直径が内周面１１の内径よりも僅かに大きく形成されている。一方、第２リング部９２の突出部９４以外の外周面９２Ａは、その直径が外輪１０の内周面１１の内径よりも小さくなっている。このため、摩擦部材９０を外輪１０に対して組み合わせたときには、圧接面９４Ａのみが内周面１１に圧接され、外周面９２Ａは内周面１１から離間している。
【００７１】
また、突出部９４は、第２リング部９２から軸方向に突出した部分が、ブレーキシュー２０に対して周方向で係合する。図３に示すように、突出部９４は、１つのブレーキシュー２０における一対の突出部２０Ｂの間に配置されている。より具体的には、突出部９４は、ブレーキシュー２０の突起２０Ｃと、この突起２０Ｃに対して図３の時計回り側に配置された突出部２０Ｂとの間に配置される第１突出部９４Ｘと、ブレーキシュー２０の突起２０Ｃと、この突起２０Ｃに対して図３の反時計回り側に配置された突出部２０Ｂとの間に配置される第２突出部９４Ｙとを含む。図７に示すように、第１突出部９４Ｘは、図７の時計回り方向の端部に第１係合面９４Ｂを有し、第２突出部９４Ｙは、図７の反時計回り方向の端部に第２係合面９４Ｃを有する。図３に示すように、第１係合面９４Ｂおよび第２係合面９４Ｃは、入力側回転部材４０に荷重が入力されていない状態において、ともに、ブレーキシュー２０の突出部２０Ｂの回転力入力面２５から離間している。
【００７２】
本実施形態において、圧接部と係合部は、ともに突出部９４によって実現されている。つまり、係合部は圧接部と一体に回転し、圧接部と係合部は、周方向において同じ位置に配置されている。
【００７３】
図７に示すように、連結部９３は、曲がりくねった蛇行形状の連結部９３Ａ，９３Ｂと、板形状の連結部９３Ｃとを含む。連結部９３Ａは、図の時計回り方向に開口するＵ字形状で３つ設けられ、連結部９４Ｂは、連結部９３Ａの時計回り方向に隣接して配置され、反時計回り方向に開口するＵ字形状で３つ設けられている。板形状の連結部９３Ｃは、連結部９３Ｂに対して時計回り側に隣接する連結部９３Ａとの間に配置されている。
連結部９３Ａ，９３Ｂは、撓み変形可能な細い形状を有し、連結部９３Ｃは、連結部９３Ａ，９３Ｂよりは撓み変形しにくい、幅広の板形状を有している。
このように、第１リング部９１と第２リング部９２は、全体が一体の板状に形成されるのではなく、複数の連結部９３で連結されていることで、第１リング部９１と第２リング部９２の一方に回転トルクが入力されたときに、連結部９３が多少撓むことができる。このため、摩擦部材９０が、補助ブレーキ力を発生する機能と、複数のブレーキシュー２０の周方向の位置のバランスを取る機能とを両立させやすい。
【００７４】
摩擦部材９０を構成する材料は特に限定されないが、摩擦部材９０は、例えば、樹脂からなっている。摩擦部材９０を樹脂で構成すると、複雑な形状を容易に作ることができ、また、内周面１１との摺動時に音が発生しにくいのでブレーキ装置３の動作を静かにすることができる。
【００７５】
摩擦部材９０は、ブレーキシュー２０の出力側に配置されている。そして、摩擦部材９０は、外輪１０の内側に圧入され、各突出部９４は、ブレーキシュー２０の突出部２０Ｂと突起２０Ｃの間に配置される。また、各突出部９４は、回転方向において係合脚４２Ａ，４２Ｂとほぼ同じ範囲に形成されている。このため、各突出部９４に対するブレーキシュー２０の回転方向（周方向）の遊びは、例えば４°である。
【００７６】
そして、摩擦部材９０の間隔保持部９５に対するブレーキシュー２０の回転方向（周方向）における遊びは０°より大きく、３．４°より小さいことが望ましい。そして、この摩擦部材９０に対するブレーキシュー２０の周方向における遊びは、入力側回転部材４０に対するブレーキシュー２０の周方向における遊びよりも小さい。
【００７７】
ワッシャ７６は、出力側回転部材３０の支持軸部３３の外径よりも僅かに小さい直径の孔７６Ａを有し、この孔７６Ａが支持軸部３３に圧入されている（図５参照）。ワッシャ７６の外径は、後述するカバー部材６０の支持孔６４より大きく、ワッシャ７６により出力側回転部材３０が出力側に抜けないようになっている。
【００７８】
次に、ラチェット装置２の構成について説明する。
図２に示すように、操作入力部材５０は、レバー７５と係合してレバー７５とともに中立位置から所定角度範囲で揺動操作可能である。操作入力部材５０は、ローラ７２を介して入力側回転部材４０と一体に動くようになることで、入力側回転部材４０にレバー７５からの回転トルクをローラ７２を介して伝達する部材である。このため、操作入力部材５０は、カム板部５１と、このカム板部５１から入力側に延出した、レバー７５の取付部としての２つのレバー係合部５２とを備えてなる。
【００７９】
図９（ａ）に示すように、カム板部５１は、外周面に３つの円弧状の小径部５３と、小径部５３から周方向に連続して延び、小径部５３よりも徐々に直径が大きくなる作用面５５とを有している。そして、カム板部５１は、作用面５５から荷重入力面である受圧リング部４１の内周面４１Ａに近づくように突出した３つの突出部５４を有する。小径部５３と突出部５４とは、周方向に交互に配置され、作用面５５は、周方向で各突出部５４と各小径部５３の間の計６箇所に配置されている。なお、ラチェット装置２の説明においては、径方向および周方向を荷重入力面、ここでは、内周面４１Ａを基準にして用いる。
【００８０】
作用面５５は、内周面４１Ａに対して径方向で対向している。また、作用面５５は、内周面４１Ａと非平行であり、突出部５４に近づくほど、内周面４１Ａとの間隔が狭くなるように形成されている。
また、カム板部５１の中心には、出力側回転部材３０が通る孔５６が形成されている。
【００８１】
各作用面５５と受圧リング部４１の内周面４１Ａとの間には、それぞれ、ローラ７２が配置されている。ローラ７２は、後述する動作説明で分かるように、操作入力部材５０および入力側回転部材４０に対し係合・離脱することで入力トルクの伝達・遮断を行うものである。ローラ７２は、各作用面５５に対応して計６つ配置されている。作用面５５は、図５（ａ）に示すように、ローラ７２の軸方向長さの半分よりその方向に長く、ローラ７２の軸方向における中心部（中心線Ｃ１参照）を含む範囲でローラ７２と当接可能に配置されている。これにより、作用面５５は、受圧リング部４１との間で安定してローラ７２を挟持することができる。
【００８２】
図９（ｂ）に示すように、突出部５４は、作用面５５から内周面４１Ａに近づくように延びる段差面５４Ａと、段差面５４Ａの内周面４１Ａに近い端部から入力側回転部材４０の回転方向に延びる頂面５４Ｂと、段差面５４Ａと頂面５４Ｂを繋ぐ角部５４Ｃとを有する。段差面５４Ａは、径方向外側に行くほどローラ７２から離れるように作用面５５に対して傾斜している。そして、本実施形態において、突出部５４の突出量は比較的小さく、突出部５４は、ローラ７２と角部５４Ｃで接触する形状を有する。具体的には、突出部５４は、径方向において、ローラ７２の中心７２Ａよりも作用面５５に近い位置で可動片と接触する形状を有している。なお、角部５４Ｃは、製造上必要な大きさの丸みを有している形状を含む。
【００８３】
ここで、図２に戻り、規制部材７１について説明すると、規制部材７１は、ローラ７２の位置を規制する部材であり、複数のローラ７２に対し、操作入力部材５０の回動軸線方向の一方側である出力側に配置された側壁部７１Ａと、側壁部７１Ａの外周縁から入力側に向けて延出した３つの規制部７１Ｂとを備えて構成されている。規制部７１Ｂは、ローラ７２の軸方向の長さよりも長く、その先端がカバー部材６０の嵌合穴６６に圧入嵌合している。また、規制部材７１は、中心に、出力側回転部材３０が通る孔７１Ｃを有している。
【００８４】
図９（ａ）に示すように、規制部７１Ｂは、レバー７５を操作していない非作動時において突出部５４の径方向外側で同じ回転位置に配置されており、作用面５５と受圧リング部４１の間にあるローラ７２の周方向についての移動を規制している。隣接する規制部７１Ｂの間に配置された２つのローラ７２の間には、圧縮コイルバネからなる第１リターンスプリング７３がそれぞれ初期荷重を与えられて配置されている。このため、図９（ａ）の非作動時において、各ローラ７２は規制部７１Ｂに接している。ここで、規制部７１Ｂは、外輪１０の径方向において、ローラ７２の中心が位置するところを含むように配置され、ローラ７２の、周方向に最も出っ張っているところに接している。これにより、規制部７１Ｂは、ローラ７２を安定して支持することができる。なお、図９（ａ）においては、ローラ７２を、規制部７１Ｂに接した状態で表しているが、ローラ７２は、作用面５５と内周面４１Ａに挟持されることで、規制部７１Ｂから僅かに離れていてもよい。
【００８５】
図２に示すように、レバー係合部５２は、円弧状の断面でカム板部５１から出力側回転部材３０の軸方向に突出している。各レバー係合部５２は、軸方向の端面にネジ穴５２Ａを有している。また、各レバー係合部５２は、軸方向から見て扇形をなし、径方向に延びる側面５２Ｂを有している（図９（ａ）参照）。
【００８６】
カバー部材６０は、円板状の側壁部６１と、側壁部６１の外周縁から出力側回転部材の軸方向における出力側に延出した外周部６２とを備えてなる。
側壁部６１は、出力側回転部材３０の軸方向に交差する向きを有し、本実施形態では、軸方向に直交する向きを有している。
図５（ａ）に示すように、外周部６２は、側壁部６１から延出する小径部６２Ａと、小径部６２Ａの出力側の端部から径方向に広がるフランジ部６２Ｂと、フランジ部６２Ｂの外周縁から出力側に延出する大径部６２Ｃとを有する。そして、大径部６２Ｃは、外輪１０の外周面１２の外側に嵌合して外輪１０に固定されている。
外周部６２は、第１リターンスプリング７３と第２リターンスプリング７４との間に配置されることで、第１リターンスプリング７３と第２リターンスプリング７４の干渉を抑制する。
【００８７】
図２に示すように、側壁部６１には、その中心に円形の支持孔６４と、支持孔６４の周囲で円弧形状に延びる２つの円弧孔６５と、円弧孔６５よりも径方向外側に位置し、周方向に３つ等間隔で配置された嵌合穴６６と、筐体１００内へ向けて突出する凸部６７が形成されている。
支持孔６４は、出力側回転部材３０の支持軸部３３と嵌合し、出力側回転部材３０を軸支する部分である。
円弧孔６５は、操作入力部材５０のレバー係合部５２に対応して設けられ、レバー係合部５２よりも広い角度範囲で円弧状に形成されている。これにより、円弧孔６５は、レバー係合部５２を受け入れるとともに、レバー係合部５２が円弧孔６５の中において所定角度範囲で移動することが可能となっている。
凸部６７は、図５（ｂ）に示すように、操作入力部材５０に向けて突出した第１凸部６７Ａと、入力側回転部材４０の受圧リング部４１に向けて突出した第２凸部６７Ｂとを含む。凸部６７は、これらの筐体１００内の部品と摺動可能であり、筐体１００内の部品の軸方向の遊びを抑制する。
【００８８】
嵌合穴６６は、規制部材７１の３つの規制部７１Ｂに対応して３つ設けられた貫通孔であり（図２も参照）、規制部材７１がカバー部材６０に対し相対回転しないように、カバー部材６０と嵌合されている。規制部材７１とカバー部材６０とは、複数箇所で嵌合していることで、規制部材７１の回転の規制をしっかりと行うことができる。
【００８９】
クラッチユニット１の製造時において、カバー部材６０を外輪１０と組む際には、まず、外周部６２のうち、大径部６２Ｃを外輪１０の外周面１２の外側に嵌合させる。そして、側壁部６１を出力側回転部材３０の軸方向における出力側に所定荷重で押して凸部６７を筐体内の部品（入力側回転部材４０）に接触させながら、カバー部材６０の大径部６２Ｃを外輪１０にレーザ溶接により固定する。
なお、第１凸部６７Ａは、規制部材７１の側壁部７１Ａとカバー部材６０の側壁部６１の間で操作入力部材５０が軸方向に遊ぶのを抑制する。このため、規制部７１Ｂを嵌合穴６６に圧入する際には、第１凸部６７Ａと操作入力部材５０が軽く接触する程度となるような荷重で圧入する。
【００９０】
図２に戻り、第２リターンスプリング７４は、コイル部７４Ａと、コイル部７４Ａの一端から径方向外側に延出した第１アーム７４Ｂと、コイル部７４Ａの他端から径方向外側に延出した第２アーム７４Ｃとを有してなるトーションバネである。
【００９１】
コイル部７４Ａは、カバー部材６０の外周部６２の径方向外側に配置されている。図５（ａ）に示すように、第１リターンスプリング７３と第２リターンスプリング７４は、操作入力部材５０の回動軸線に直交する一の平面上、図５（ａ）においては、前記した中心線Ｃ１を通る平面上に位置する。このため、第１リターンスプリング７３と第２リターンスプリング７４が操作入力部材５０をこじる力を発生せず、操作入力部材５０をスムーズに中立位置に戻すことができる。
【００９２】
図２に示すように、レバー７５は、図２において左右に延びる本体部７５Ａと、本体部７５Ａの下端部から出力側に延出したバネ係合部７５Ｂと、本体部７５Ａの上端部から出力側に延出したカバー部７５Ｃとを有する。本体部７５Ａは、第２リターンスプリング７４のコイル部７４Ａに対して入力側に位置する。バネ係合部７５Ｂは、第２リターンスプリング７４の第１アーム７４Ｂおよび第２アーム７４Ｃが係合する。
本体部７５Ａには、出力側回転部材３０の支持軸部３３を通過させる円形の貫通孔７５Ｄと、操作入力部材５０の２つのレバー係合部５２が係合する２つの係合穴７５Ｅとが繋がった状態で形成されている。図９（ａ）に示すように、係合穴７５Ｅは、径方向に延びる縁部７５Ｆを有している。レバー係合部５２は、係合穴７５Ｅの縁部７５Ｆが、レバー係合部５２を操作入力部材５０の回転方向で挟持するように係合穴７５Ｅに圧入されている。つまり、この圧入により、縁部７５Ｆと、レバー係合部５２の側面５２Ｂとが常時圧接した状態となり、レバー７５が操作入力部材５０に対し回転方向に遊ばないようになっている。これにより、レバー７５の操作感を向上させることができる。
【００９３】
図８に示すように、バネ係合部７５Ｂは、周方向において取付板８５のスプリング保持部８５Ｃと同じ大きさを有している。そして、バネ係合部７５Ｂは、周方向においてスプリング保持部８５Ｃに対応した位置で、スプリング保持部８５Ｃの径方向外側に配置されている。また、バネ係合部７５Ｂおよびカバー部７５Ｃは、第２リターンスプリング７４のコイル部７４Ａの径方向外側に位置して、コイル部７４Ａが外れるのを抑制している。
【００９４】
第２リターンスプリング７４の第１アーム７４Ｂおよび第２アーム７４Ｃは、取付板８５のスプリング保持部８５Ｃとレバー７５のバネ係合部７５Ｂに回転方向で係合している。レバー７５を操作していない状態において、第１アーム７４Ｂと第２アーム７４Ｃは互いに近づく方向に付勢され、スプリング保持部８５Ｃとバネ係合部７５Ｂを挟持している。すなわち、レバー７５は、第２リターンスプリング７４によって、常時、図８に示す中立位置に向けて付勢されている。
【００９５】
抜け止め板７７は、ネジ穴５２Ａに対応した２つの穴７７Ａと、レバー７５の貫通孔７５Ｄに対応した中心穴７７Ｂを有している。中心穴７７Ｂは、ワッシャ７６（図２参照）が抜け止め板７７に干渉するのを抑制する。
そして、抜け止め板７７は、２つのボルト７８がそれぞれ穴７７Ａを通り、ネジ穴５２Ａに締結されることで操作入力部材５０に固定される。これにより、レバー７５が操作入力部材５０から外れることが抑制される。
【００９６】
次に、以上のように構成されたクラッチユニット１の動作について説明する。
まず、ラチェット装置２の動作について説明する。
図９（ａ）に示す中立位置において、ローラ７２は、入力側回転部材４０の内周面４１Ａと操作入力部材５０の作用面５５の間に位置するが、これらの間には僅かな隙間があり、これらに挟持されてはいない。ローラ７２は、圧縮コイルばねからなる第１リターンスプリング７３により規制部７１Ｂに向けて付勢されている。これにより、第１リターンスプリング７３は、操作入力部材５０の姿勢を中立位置に付勢している。また、第２リターンスプリング７４は、第１アーム７４Ｂと第２アーム７４Ｃとでバネ係合部７５Ｂとスプリング保持部８５Ｃを挟持している。この挟持力により、バネ係合部７５Ｂの回動方向の位置は、スプリング保持部８５Ｃと揃う。つまり、第２リターンスプリング７４は、レバー７５および操作入力部材５０の姿勢を中立位置に付勢している。
【００９７】
入力側回転部材４０に掛かる負荷が所定未満である場合において、レバー７５を中立位置から下に下げて操作入力部材５０を時計回り方向に少し揺動させると、作用面５５が時計回りに回動してローラ７２に接し、内周面４１Ａと作用面５５の間でローラ７２が挟持される。これにより、操作入力部材５０の揺動操作に応じて操作入力部材５０と入力側回転部材４０は一体に回転できるようになる。
そのため、図１０に示すように、操作入力部材５０を時計回りに回していけば、入力側回転部材４０と操作入力部材５０とが一体になったまま、時計回りに回動する。すなわち、操作入力部材５０を回動させた入力トルクが入力側回転部材４０に伝達される。
【００９８】
このとき、レバー７５のバネ係合部７５Ｂは、第２リターンスプリング７４の付勢力に抗して第２アーム７４Ｃを時計回り方向に移動させる。逆に言うと、第２アーム７４Ｃは、バネ係合部７５Ｂを反時計回り方向に付勢する。
【００９９】
図１０の状態からレバー７５を反時計回りに揺動させて下の位置から中立位置に戻すときには、ローラ７２から作用面５５が反時計回りに逃げていき、図１１に示すように、入力側回転部材４０が静止したまま、操作入力部材５０が中立位置に向けて回動する。すなわち、操作入力部材５０を戻すときの入力トルクは入力側回転部材４０には伝達されず、遮断される。操作入力部材５０は、第１リターンスプリング７３および第２リターンスプリング７４の付勢力により中立位置に向けて操作するのが補助されるとともに、中立位置に維持される。
【０１００】
レバー７５を中立位置から上に上げ、また、上の位置から中立位置に戻すときの動作は、上述の下への揺動の場合と同様であるので説明を省略する。
【０１０１】
シートを上下させる機構に物が引っかかった場合など、入力側回転部材４０に掛かる負荷が所定以上である場合において、レバー７５を中立位置から下に下げて操作入力部材５０を時計回り方向に少し揺動させると、図１２に示すように、作用面５５と内周面４１Ａの間にローラ７２が挟まるだけでは受圧リング部４１を回すことができず、受圧リング部４１が止まったまま、操作入力部材５０だけが時計回りに回転する。このまま、所定以上の入力トルクで操作入力部材５０を時計回りに揺動させると、受圧リング部４１は、ローラ７２と接する部分が径方向外側に撓む。そして、操作入力部材５０の突出部５４がローラ７２と接触する。このとき、本実施形態では、突出部５４の角部５４Ｃがローラ７２の中心７２Ａ（図９（ｂ）参照）よりも作用面５５に近い位置でローラ７２に接触する。
【０１０２】
そして、図１３に示すように、突出部５４がローラ７２に接触してローラ７２を押すことでローラ７２が内周面４１Ａに対して滑る。このため、過大な入力トルクで無理矢理レバー７５を操作した場合であっても、図１２および図１３のように、ローラ７２が突出部５４に接触した状態以上に受圧リング部４１が撓むことはなく、受圧リング部４１の破損、ひいてはラチェット装置２の破損を抑制することができる。
【０１０３】
レバー７５を中立位置から上に上げる場合にも、車両用シートＳに座る乗員がものすごく重いなど、受圧リング部４１に掛かる負荷が所定以上である場合があるが、この場合の動作も、上述の下への揺動の場合と回転方向が逆なだけで同様であるので説明を省略する。
【０１０４】
次に、ブレーキ装置３の動作について説明する。
図１４に示すように、車両用シートＳに座った乗員の重みにより出力側回転部材３０に、図における時計回り方向の回転トルク、つまり、通常使用範囲の回転トルクを与えると、出力側回転部材３０が時計回りに少し回転し、第２接触面３６Ａ（一の対向面３６の一対の第２接触面３６Ａ，３６Ｂのうち反時計回り側の１つ）と第１接触面２３Ａの間隔が狭くなることで、ローラ８１Ａ（一のブレーキシュー２０に対応する一対のローラ８１のうち反時計回り側の１つ）と第２接触面３６Ａおよび第１接触面２３Ａの圧力が高まる。なお、出力側回転部材３０に荷重が入力されていない状態において、ローラ８１Ａが第１傾斜面２３Ｂに接していた場合には、ローラ８１Ａは、対向面３６と内側面２３の間を転がって、第１接触面２３Ａに接する位置まで移動したところで第２接触面３６Ａおよび第１接触面２３Ａとの間の圧力が充分に高まって対向面３６および内側面２３に対して止まる。一方、出力側回転部材３０が時計回りに回転するにつれ、第２接触面３６Ｂ（一の対向面３６の一対の第２接触面３６Ａ，３６Ｂのうち時計回り側の１つ）と第１接触面２３Ａの間隔が広くなるため、ローラ８１Ｂ（一のブレーキシュー２０に対応する一対のローラ８１のうち時計回り側の１つ）は、第２接触面３６Ｂと第１接触面２３Ａの間で強く挟まれることなく転がることができる。
【０１０５】
このとき、第２接触面３６Ａは、ローラ８１Ａを力Ｆ１で押し、ローラ８１Ａは、第１接触面２３Ａを力Ｆ２で押す。これにより、ブレーキシュー２０は、一対のブレーキ面２１が外輪１０の内周面１１に力Ｆ３で押し付けられる。その結果、ブレーキ面２１と内周面１１の間で摩擦力が発生するので、出力側回転部材３０が回転しない。すなわち、車両用シートＳが下がるのを阻止するブレーキ力が発生する。そして、このような、出力側回転部材３０に通常使用範囲の回転トルクを与えた状態においては、支持面２６は、外輪１０の内周面１１から離間している。
【０１０６】
また、このとき、ローラ８１Ｂは、出力側回転部材３０の回転方向、つまり、時計回り方向に隣接する保持部４４から僅かに離間している。そのため、ローラ８１Ａが対向面３６と内側面２３に挟まれているだけでなく、スプリング８２の付勢力によりローラ８１Ｂも対向面３６と内側面２３に挟まれた状態を維持することができる。これにより、その後、ブレーキシュー２０をいずれの方向に回転しても、ブレーキシュー２０と外輪１０の間の摩擦力を維持できるので、予期せぬブレーキ力の解除を抑制することができる。
【０１０７】
図１４のブレーキ状態から、車両用シートＳの高さを上げるためにレバー７５を操作して入力側回転部材４０を反時計回りに回転させると、図１５に示すように、入力側回転部材４０の係合脚４２Ａが反時計回り側の端部でブレーキシュー２０の回転力入力面２５に周方向で当接する。この時点において、略同時に入力側回転部材４０の解除面４７Ｂが対向面３６の平面部３６Ｄに接して反時計回り方向の回転トルクを出力側回転部材３０に伝達可能となる。これにより、ブレーキシュー２０のブレーキ面２１が外輪１０の内周面１１に強く押し付けられていた場合においても、ブレーキ力を解除して、入力側回転部材４０を回して車両用シートＳを上げ始めるときの引っかかり感を抑制することができる。
【０１０８】
そして、さらに入力側回転部材４０を反時計回りに回転させると、係合脚４２Ａが回転力入力面２５を力Ｆ１１で押すことでブレーキシュー２０が反時計回り方向に回転し、第１接触面２３Ａがローラ８１Ａを力Ｆ１２で押し、ローラ８１Ａが第２接触面３６Ａを力Ｆ１３で押す。この力Ｆ１３により、出力側回転部材３０が図の反時計回りに回転する。このときも、支持面２６は、外輪１０の内周面１１から離間している。
【０１０９】
また、図１４のブレーキ状態から、車両用シートＳの高さを下げるためにレバー７５を操作して入力側回転部材４０を時計回りに回転させると、図１６に示すように、入力側回転部材４０の係合脚４２Ｂが時計回り側の端部でブレーキシュー２０の回転力入力面２５に周方向で当接する。このとき、保持部４４は、回転方向下流側（時計回り方向側）に隣接するローラ８１Ａに対して非接触である。そして、さらに入力側回転部材４０を時計回りに回転させると、係合脚４２Ｂが回転力入力面２５を力Ｆ２１で押し、ブレーキシュー２０が時計回り方向に回転し始める。
【０１１０】
ブレーキシュー２０が図１６の状態から時計回り方向に回転すると、ブレーキシュー２０と出力側回転部材３０は、図１４において出力側回転部材３０を時計回り方向に回転させた場合と相対的に逆の動作をする。すなわち、図１７に示すように、ブレーキシュー２０が時計回りに少し回転し、第１接触面２３Ａと第２接触面３６Ｂ（一の対向面３６の一対の第２接触面３６Ａ，３６Ｂのうち時計回り側の１つ）の間隔が狭くなることで、ローラ８１Ｂ（一のブレーキシュー２０に対応する一対のローラ８１のうち時計回り側の１つ）と第１接触面２３Ａおよび第２接触面３６Ｂの圧力が高まる。なお、ローラ８１Ｂが第１傾斜面２３Ｃに接していた場合でも、ローラ８１Ｂは、対向面３６と内側面２３の間を転がって、第１接触面２３Ａに接する位置まで移動したところで第２接触面３６Ｂおよび第１接触面２３Ａとの間の圧力が充分に高まって対向面３６および内側面２３に対して止まる。一方、ブレーキシュー２０が時計回りに回転するにつれ、第１接触面２３Ａと第２接触面３６Ａ（一の対向面３６の一対の第２接触面３６Ａ，３６Ｂのうち反時計回り側の１つ）の間隔が広くなるため、ローラ８１Ａ（一のブレーキシュー２０に対応する一対のローラ８１のうち反時計回り側の１つ）は、第１接触面２３Ａと第２接触面３６Ａの間でこれらとの圧力が徐々に下がっていきながら転がることができる。そして、図１７の状態では、保持部４４は、回転方向下流側に隣接するローラ８１Ａに接触して、ローラ８１Ａを時計回り方向に押している。
【０１１１】
また、図１６の状態から図１７の状態にブレーキシュー２０が回転する過程において、ブレーキシュー２０の突出部２０Ｂと摩擦部材９０の第２突出部９４Ｙの隙間がつまり、突出部２０Ｂが第２突出部９４Ｙと係合して時計回り方向に押す。これにより、摩擦部材９０がブレーキシュー２０に引きずられるようにして時計回りに回転する。このとき、摩擦部材９０は、突出部９４において外輪１０の内周面１１に圧接されているので、ブレーキシュー２０の回転に抵抗（補助ブレーキ力）を与える。このため、第１接触面２３Ａと第２接触面３６Ｂの間でローラ８１Ｂが充分な力で挟まれる前に、第１接触面２３Ａと第２接触面３６Ａの間でローラ８１Ａを挟む力が弱まったとしても、乗員の重みでブレーキシュー２０が急激に時計回りに回転することが抑制される。
【０１１２】
また、図１６の状態では、保持部４４がローラ８１Ａに対して非接触であることで、第１接触面２３Ａと第２接触面３６Ｂの間でローラ８１Ｂが充分な力で挟まれる前には、ブレーキ力を発生していたローラ８１Ａが保持部４４に押されないので予期せずブレーキ力が弱まることが抑制される。
【０１１３】
一方、図１７に示すように、ローラ８１Ｂが第１接触面２３Ａと第２接触面３６Ｂに充分な力で挟まれた後は、保持部４４がローラ８１Ａに接触するので、仮に、ローラ８１Ａが内側面２３と対向面３６の間で何らかの事態により固着したような場合であっても、ローラ８１Ａを内側面２３と対向面３６の間から離してブレーキ力を解除し、安定した動作を実現することができる。
【０１１４】
そして、図１７に示すように、係合脚４２Ｂが回転力入力面２５を力Ｆ２１で押し、第１接触面２３Ａがローラ８１Ｂを力Ｆ２２で押し、ローラ８１Ｂが第２接触面３６Ｂを力Ｆ２３で押す。この力Ｆ２３により、出力側回転部材３０が図の時計回りに回転する。このときも、支持面２６は、外輪１０の内周面１１から離間している。
【０１１５】
一方、出力側回転部材３０に、通常使用範囲より大きい過大な時計回り方向の回転トルクが入力された場合、図１８に示すように、通常使用範囲の回転トルクを与えた場合よりも、出力側回転部材３０が時計回りに大きく回転し、第２接触面３６Ａと第１接触面２３Ａの間隔がより狭くなることで、ローラ８１Ａと第２接触面３６Ａおよび第１接触面２３Ａの圧力がより高まる。このとき、第２接触面３６Ａは、ローラ８１Ａを大きな力Ｆ３１で押し、ローラ８１Ａは、第１接触面２３Ａを大きな力Ｆ３２で押す。これにより、ブレーキシュー２０は、本体部２０Ａが径方向外側に撓むように変形し、支持面２６が外輪１０の内周面１１に当接する。その結果、ブレーキシュー２０は、支持面２６が外輪１０によって支持されることになり、それ以上の変形が抑制されるため、当該ブレーキシュー２０に掛かる負荷を低減することができる。
【０１１６】
また、過大な時計回り方向の回転トルクが入力されて出力側回転部材３０が時計回りに大きく回転した場合には、第２接触面３６Ｂと第１接触面２３Ａとの間が広がってローラ８１Ｂがこれらの間で遊ぶことがある。このような場合、ローラ８１Ｂは、回転方向下流側、ここでは時計回り方向に隣接する保持部４４に当接する。これにより、保持部４４がローラ８１Ｂを支持するので、内側面２３と対向面３６の間からローラ８１Ｂが脱落することが抑制される。
【０１１７】
以上においては、出力側回転部材３０に時計回り方向の回転トルクが入力されてブレーキ力が発生した後、入力側回転部材４０を時計回り方向または反時計回り方向に回転させた場合について説明した。クラッチユニット１を車両用シートＳに適用した場合には、出力側回転部材３０には、時計回り方向の回転トルクしか入力されないので、上述のようにしか動作しないが、仮に、出力側回転部材３０に反時計回り方向の回転トルクが入力されてブレーキ力が発生した後、入力側回転部材４０を時計回り方向または反時計回り方向に回転させた場合は、ブレーキシュー２０および出力側回転部材３０は、略鏡像対称（図３で線対称）に構成されているので、上述と回転方向が異なるだけで、略同様の動作が実現される。
【０１１８】
以上説明した本実施形態のクラッチユニット１に適用されたブレーキ装置３によれば、出力側回転部材３０に回転トルクが与えられると、ローラ８１がブレーキシュー２０の内側面２３を押してブレーキ面２１が外輪１０の内周面１１に押し付けられることでブレーキシュー２０が回転しない。この状態において、入力側回転部材４０によりブレーキシュー２０を一方の回転方向または他方の回転方向に回転させると、ローラ８１が内側面２３と出力側回転部材３０の対向面３６の間に形成される空間の狭い側に付勢されているため、いずれかのローラ８１を常に内側面２３と対向面３６の間に挟まれた状態、つまり、これらに接触した状態に維持することができる。このため、ブレーキ力が一気に抜けることを抑制することができる。また、周方向に並んだ複数のブレーキシュー２０のそれぞれでブレーキ力を発生できるので、ブレーキ装置３の軸方向の大きさが大きくなるのを抑制することができる。これらにより、軸方向の大きさを小さくすることができるとともに、安定した動作をすることができる。
【０１１９】
そして、摩擦部材９０が、ブレーキシュー２０と係合することで、ブレーキシュー２０のブレーキ面２１で発生するブレーキ力が低下した場合であっても、摩擦部材９０の摩擦力がブレーキシュー２０の補助ブレーキ力として作用する。そのため、レバー７５で車両用シートＳを下げようとしたときに、ブレーキシュー２０のブレーキ力が低下した場合であっても、この補助ブレーキ力により出力側回転部材３０が急激に回転することを抑制することができる。そして、摩擦部材９０の外周部に設けられた突出部９４とブレーキシュー２０が係合していることで、摩擦力が発生する部分とブレーキシュー２０に係合して力を伝える係合部までの距離が小さいので、補助ブレーキ力をブレーキシュー２０に効率良く伝えることができる。
【０１２０】
また、第２リング部９２は、外輪１０の内周面１１に近いので、効率良く摩擦力を発生し、ブレーキシュー２０に伝えることができる。また、摩擦部材９０の外周の全周で内周面１１に圧接する場合には、摩擦部材９０および内周面１１の直径の誤差によって圧接力がばらついたり、摩擦部材９０に歪みが発生したりしやすいが、摩擦部材９０の外周のうち、突出部９４において内周面１１に部分的に接触するので、安定した摩擦力を発生することができる。
【０１２１】
また、上述のように、本実施形態における摩擦部材９０は、摩擦力を効率良くブレーキシュー２０に伝達することができるので、樹脂から構成することができる。これにより、ブレーキ装置３の作動時に音が発生するのを抑制することができる。
【０１２２】
また、摩擦部材９０は、間隔保持部９５を有し、間隔保持部９５により、複数のブレーキシュー２０の周方向の位置のバランスが保たれるので、ブレーキ力が安定し、また、入力側回転部材４０でブレーキシュー２０を回転させるときのトルクが安定する。さらに、間隔保持部材である摩擦部材９０は、入力側回転部材４０とは別の部材であるため、摩擦部材９０の動作が入力側回転部材４０に影響を与えず、ブレーキ力が安定する。また、出力側回転部材３０に入力されたトルクによりブレーキシュー２０が僅かに動く動作などが入力側回転部材４０に伝わりにくく、操作する人に違和感を与えることもない。このため、ブレーキ装置３の操作感が向上する。
【０１２３】
また、摩擦部材９０に対するブレーキシュー２０の周方向における遊びは、入力側回転部材４０に対するブレーキシュー２０の周方向における遊びよりも小さいことで、入力側回転部材４０とブレーキシュー２０の周方向における遊びを確保して、ブレーキ力を安定させ、また、操作感を向上させることができる。
【０１２４】
そして、ラチェット装置２の出力部材である入力側回転部材４０が回転するのに大きな抵抗が掛かった場合には、操作入力部材５０を回転させていくと、突出部５４がローラ７２に接触してローラ７２を押すことでローラ７２が受圧リング部４１の内周面４１Ａに対して滑る。このため、突出部５４がローラ７２に接触した後は、それ以上、受圧リング部４１に掛かる負荷が大きくならない。したがって、ラチェット装置２の破損を抑制することができる。
【０１２５】
また、突出部５４は、角部５４Ｃがローラ７２に接触する形状であるので作用面５５からの突出部５４の突出量を小さくしてラチェット装置２の重量増加を抑制することができる。
【０１２６】
また、ラチェット装置２の可動片としてローラ７２を採用することで、ラチェット装置２の動作をスムーズにすることができるとともに、可動片に掛かる面圧を小さくすることができる。
【０１２７】
以上に本発明の一実施形態について説明したが、本発明は、前記実施形態に限定されることなく適宜変形して実施することができる。
例えば、前記実施形態においては、入力側回転部材４０がブレーキシュー２０およびローラ８１を介して出力側回転部材３０を回転させるようにしていたが入力側回転部材４０が直接出力側回転部材３０に係合して回転トルクを伝えるように構成してもよい。この場合、入力側回転部材４０の貫通孔４５の形状ならびに係合脚４２の形状および配置を調整して、係合脚４２がブレーキシュー２０に対して回転方向に十分に係合する前に、貫通孔４５の縁が出力側回転部材３０の作用部３１に十分な回転トルクを伝える程度に係合するようにすればよい。
【０１２８】
また、ブレーキシュー２０と出力側回転部材３０との間で力を伝達するための構成は、様々な構成を採ることができる。例えば、前記実施形態においては、可動片としてのローラ８１を介して出力側回転部材３０がブレーキシュー２０を径方向外側に押圧する構成としていたが、可動片はなくてもよく、出力側回転部材３０が、径方向外側に突出する突起を有し、この突起でブレーキシュー２０を押圧するように構成してもよい。
【０１２９】
また、前記実施形態においては、出力側回転部材３０に回転トルクを与えた場合に、その回転方向が時計回り方向および反時計回り方向のいずれであっても、ローラ８１を介して対向面３６が内側面２３を押してブレーキ面２１が外輪１０の内周面１１に押し付けられることでブレーキシュー２０が回転しないように構成されていたが、これに限定されるものではない。例えば、図１９に示すように、ローラ８１Ｂや、ローラ８１Ｂに対応する第２接触面３６Ｂを無くし、出力側回転部材３０に回転トルクを与えた場合、一方の回転方向、具体的には、図の時計回り方向についてのみ、ローラ８１Ａを介して対向面３６（第２接触面３６Ａ）が内側面２３（第１接触面２３Ａ）を押してブレーキ面２１が外輪１０の内周面１１に押し付けられることでブレーキシュー２０が回転しないように構成されていてもよい。なお、図１９のブレーキ装置３の出力側回転部材３０には、径方向外側に突出する３つの係合部３９が設けられている。これにより、出力側回転部材３０を図の反時計回り方向に回転させた場合には、係合部３９がブレーキシュー２０を反時計回り方向に押すことで、ブレーキシュー２０が回転するようになっている。
【０１３０】
また、摩擦部材は、図２０および図２１に示すような形状であってもよい。
図２０に示すように、変形例の摩擦部材９０は、連結部１９３が、曲がりくねった蛇行形状を有するもののみからなっている。具体的には、連結部１９３は、周方向における図２０の時計回り方向に開口するＵ字形状部１９３Ａと、Ｕ字形状部１９３Ａの径方向内側の端部を第１リング部９１と連結する第１連結部１９３Ｂと、Ｕ字形状部１９３Ａの径方向外側の端部を第２リング部９２と連結する第２連結部１９３Ｃとを有する。このように連結部１９３が屈曲していることで連結部１９３は撓みやすくなるので、第１リング部９１と第２リング部９２とに回転方向で互いにずれるような力が掛かった場合であっても、連結部１９３が撓むことで連結部１９３に無理な力が掛からず、破損を抑制することができる。
【０１３１】
また、図２１に示すように、他の変形例の摩擦部材２９０は、前記実施形態における蛇行形状の９３Ａ，９３Ｂが無く、板形状の連結部９３Ｃのみによって第１リング部９１と第２リング部９２とが連結されている。このように、板形状の連結部９３Ｃのみで第１リング部９１と第２リング部９２を連結することで、射出成形がし易くなり、生産性が向上する。
【０１３２】
また、前記実施形態においては、出力側回転部材３０に荷重が入力されていない状態や、通常使用範囲の回転トルクが出力側回転部材３０に与えられている状態（図１４〜図１７参照）において、支持面２６が外輪１０の内周面１１から離間していたが、これに限定されるものではない。例えば、ブレーキシューが回転するときの動作を妨げないのであれば、出力側回転部材に通常使用範囲の回転トルクが与えられている状態において、支持面が内周面に接していても構わない。また、支持面は、外輪の内周面に沿った形状でなくても構わない。
【０１３３】
前記実施形態において、カバー部材６０の側壁部６１は、軸方向に直交していたが、多少傾斜していてもよい。
【０１３４】
前記実施形態においては、レーザ溶接によりカバー部材６０を外輪１０に固定したが、スポット溶接で固定してもよいし、カシメにより固定してもよい。
【０１３５】
前記実施形態においては、可動片としてローラ８１を例示したが、可動片は、球や多角柱、楕円断面の柱状であっても構わない。
【０１３６】
前記実施形態においては、ブレーキシュー２０は３つ設けられていたが、ブレーキシューは、２つでもよく、４つ以上であってもよい。
【０１３７】
前記実施形態においては、ブレーキシュー２０が一対のブレーキ面２１の間に支持面２６を有していたが、ブレーキシューは、支持面や、当該支持面が設けられる突起を備えない構成であっても構わない。
【０１３８】
前記実施形態においては、操作入力部材５０の径方向外側に入力側回転部材４０の受圧リング部４１が配置されていたが、これを逆にして、操作入力部材５０が、内周面を有し、入力側回転部材４０が荷重入力面としての外周面を有し、これらの内周面と外周面の間にローラ等の可動片を配置してもよい。
【０１３９】
また、ブレーキ装置３、ラチェット装置２およびクラッチユニット１は、車両用シートＳのハイトアジャスト機構に用いられるだけでなく、他の装置に任意に適用することができる。
【０１４０】
また、前記した実施形態および変形例で説明した各要素を、任意に組み合わせて実施してもよい。
【符号の説明】
【０１４１】
１      クラッチユニット
２      ラチェット装置
３      ブレーキ装置
１０    外輪
１１    内周面
１２    外周面
２０    ブレーキシュー
２０Ｂ  突出部
２１    ブレーキ面
２３    内側面
３０    出力側回転部材
３５    出力ギヤ
３６    対向面
３８    曲面部
４０    入力側回転部材
４１    受圧リング部
４１Ａ  内周面
４４    保持部
５０    操作入力部材
５２    レバー係合部
５２Ｂ  側面
５４    突出部
５４Ａ  段差面
５４Ｂ  頂面
５４Ｃ  角部
５５    作用面
６０    カバー部材
６１    側壁部
６２    外周部
６７    凸部
６７Ａ  第１凸部
６７Ｂ  第２凸部
７１    規制部材
７２    ローラ
７３    第１リターンスプリング
７４    第２リターンスプリング
７５    レバー
７５Ｅ  係合穴
７５Ｆ  縁部
８１    ローラ
８２    スプリング
８５    取付板
９０    摩擦部材
９１    第１リング部
９２    第２リング部
９３    連結部
９４    突出部
９５    間隔保持部
１００  筐体
【図１】
2018145993.tif 000003
【図２】
2018145993.tif 000004
【図３】
2018145993.tif 000005
【図４】
2018145993.tif 000006
【図５】
2018145993.tif 000007
【図６】
2018145993.tif 000008
【図７】
2018145993.tif 000009
【図８】
2018145993.tif 000010
【図９】
2018145993.tif 000011
【図１０】
2018145993.tif 000012
【図１１】
2018145993.tif 000013
【図１２】
2018145993.tif 000014
【図１３】
2018145993.tif 000015
【図１４】
2018145993.tif 000016
【図１５】
2018145993.tif 000017
【図１６】
2018145993.tif 000018
【図１７】
2018145993.tif 000019
【図１８】
2018145993.tif 000020
【図１９】
2018145993.tif 000021
【図２０】
2018145993.tif 000022
【図２１】
2018145993.tif 000023